(57)【要約】      （修正有）【課題】作業機械にまとめて収納する電装品の取り付け、保守などを、簡単な構造で、容易に行なうことができる電装品収納構造を提供する。【解決手段】電装品収納構造３０の、電装品３２を収容する収納箱２８が、電装品３２が取り付けられる着脱自在な蓋３４を備えている。収納箱が、座席が取り付けられる座席支持フレームの空間に設置されている。【選択図】図１
2007296988.tif 000002
【特許請求の範囲】
【請求項１】
電装品を収納する収納箱が、電装品が取り付けられる着脱自在な蓋を備えている、
ことを特徴とする作業機械の電装品収納構造。
【請求項２】
収納箱が、
座席が取り付けられる座席支持フレームの空間に設置され、
座席支持フレームが、
座席を取り外したときに該蓋にアクセスが可能な開口を座席の取付面に備えている、
ことを特徴とする請求項１記載の作業機械の電装品収納構造。
【発明の詳細な説明】
【技術分野】
【０００１】
本発明は、作業機械の電装品収納構造、さらに詳しくは、簡単な構造で、電装品の取り付け、保守などが容易に行なえる電装品収納構造に関する。
【背景技術】
【０００２】
ホイールローダ、油圧ショベルなどの作業機械は、エンジン、作業装置、走行装置など、多くの作動装置を備え、これらの作動を制御する電装品、例えばリレー、ヒューズ、ブレーカーなどを多数装備している。これらの電装品は、ほこり、障害物、いたずらなどから保護できる場所にまとめて収容されている。電装品それぞれには、電線、接続コネクタ、配線部品などを一体にまとめ機体に取り付けられたワイヤハーネスが接続されている。
【０００３】
電装品の収納構造の一例は、リレー、ヒューズ、ブレーカーなどの電装品を、運転席の座席の下に形成した収納空間にボルト、ビスなどによって取り付け、それぞれにワイヤハーネスから分岐した電線を接続している。これらの電装品の取り付け、電線の接続作業は座席の足元に位置した蓋付きの開口部を通して行われる。
【０００４】
収納構造の他の例は、座席の下の空間に電装品の取付台をレール部材により開口部を通し出し入れ自在に取り付け、電装品の取り付け、電線の接続作業は、取付台を収納箱から引出した状態で行われる（例えば、特許文献１参照）。
【特許文献１】特開平１２−９６６０９号公報（第３図、第４図）
【発明の開示】
【発明が解決しようとする課題】
【０００５】
上述したとおりの形態の従来の作業機械の電装品収納構造には、次のとおりの解決すべき課題がある。
【０００６】
収納空間の中において電装品の取り付け、電線の接続を行う構造は、電装品の取り付け、電線の接続を比較的狭い収納空間で行うので、作業性が悪く多くの作業時間がかかる。
【０００７】
電装品を取り付ける取付台を収納空間から開口部を通し出し入れする構造は、比較的構造が複雑になり、大きな設置スペースが必要であり、製造コストも高くなる。
【０００８】
本発明は上記事実に鑑みてなされたもので、その技術的課題は、作業機械にまとめて収納する電装品の取り付け、保守などを、簡単な構造で、容易に行なうことができる電装品収納構造を提供することである。
【課題を解決するための手段】
【０００９】
本発明によれば上記技術的課題を解決する作業機械の電装品収納構造として、電装品を収納する収納箱が、電装品が取り付けられる着脱自在な蓋を備えている、ことを特徴とする作業機械の電装品収納構造が提供される。
【００１０】
好適には、電装品収納箱は、座席が取り付けられる座席支持フレームの空間に設置され、座席支持フレームは、座席を取り外したときに該蓋にアクセスが可能な開口を座席の取付面に備えている。
【発明の効果】
【００１１】
本発明に従って構成された作業機械の電装品収納構造は、電装品の収納箱が、電装品が取り付けられる着脱自在な蓋を備えている。したがって、蓋を電装品収納箱に取り付ける前に電装品を蓋に取り付け、かつ電装品に電線を接続し、この状態で蓋を収納箱に取り付けることができ、簡単な構造で、電装品の取付作業を容易に行なうことができる。
【発明を実施するための最良の形態】
【００１２】
以下、本発明に従って構成された作業機械の電装品収納構造について、代表的な作業機械であるホイールローダにおける好適実施形態を図示している添付図面を参照して、さらに詳細に説明する。
【００１３】
図３を参照してホイールローダについて説明する。番号２で示すホイールローダは、左右の前車輪４，４および作業装置６を有した前車体８と、左右の後車輪１０，１０、運転座席１２、ならびにエンジン室１４を有した後車体１６を備えている。前車体８と後車体１６は軸線３を中心に屈折操向を自在に連結されている。
【００１４】
図３とともに図２を参照して説明する。後車体１６は平坦な床１８を備えている。後車体１６の中央の床１８の上に座席支持フレーム２０が設置され、その上に座席１２が取り付けられている。座席１２の周りは樹脂などにより一体に形成されたコンソール２２によって囲まれている。座席１２の後方に位置するエンジン室１４には開閉自在なフード２４が備えられている。座席１２の前方には、操向用のステアリングホイール２６が設置されている。
【００１５】
電装品、例えばリレー、ヒューズ、ブレーカーなどは、ほこり、障害物、いたずらなどから保護できるように、座席支持フレーム２０と床１８の間の空間に設置された収納箱２８にまとめて収容されている。
【００１６】
図１を参照して番号３０で示す電装品収納構造について説明する。電装品収納構造３０における収納箱２８は、電装品を取り付ける着脱自在な蓋３４を備えている。
【００１７】
収納箱２８が設置される空間を形成する座席支持フレーム２０は、Ｕ字状に曲げた一対のパイプを平行に配設しそれぞれの端部によって形成した４本の脚部２０ａと、４本の脚部２０ａの上部間に水平に固定された、座席の取付面Ｓを形成する平坦な矩形の台座２０ｂを備えている。４本の脚部２０ａは、それぞれの先端の取付板２０ｃを介して床１８に、それぞれ２本のボルト２１によって固定されている。
【００１８】
座席の取付面Ｓは、矩形の４隅に前述のコンソール２２（図２）の取付穴２０ｄを備えている。取付面Ｓの中央部には、下方の空間に設置した収納箱２８の蓋３４にアクセスが可能な矩形の開口３６を備えている。開口３６の周縁には座席１２（図３）の取付穴２０ｅを備えている。
【００１９】
収納箱２８は、鋼板を矩形のチャンネル状に曲げて形成した本体２８ａを備え、曲げた先端それぞれには折り曲げ形成した、床１８への取付部２８ｂを備えている。本体２８ａは矩形のチャンネル形状を座席１２の前後方向（図３の左右方向）に向けて取付部２８ｂが床１８にボルト３８によって固定されている。蓋３４は本体２８ａの後側に取り付けられている。
【００２０】
蓋３４は、鋼板によって本体２８ａのチャンネル形状に合わせた矩形に形成され、矩形の４隅がそれぞれボルト４０によって本体２８ａに取り付けられている（Ｂ−Ｂ断面図）。蓋３４の内面、本体２８ａの内部側には、取り付ける電装品の種類、形状に応じて適宜に取り付けのための台座、ブラケットなど（図示していない）が備えられている。
【００２１】
本体２８ａの前部側の開口縁部には、合成ゴムにより形成した弾性シール４２が嵌められている。弾性シール４２は、コンソール２２の前面（図２）にビス４４により着脱自在に取り付けられる保守用蓋４８が当接して収容箱２８の密閉が保持される。この保守用蓋４８を開閉して収容箱２８内の電装品３２の日常の保守点検が行われる。
【００２２】
電装品収納構造３０における電装品の取付作業について、主として図１を参照して説明する。先ず、座席１２、コンソール２２などを取り付ける前の状態（図１の状態）において収納箱２８の本体２８ａを座席支持フレーム２０の空間の床１８に取り付ける。
【００２３】
単体状態の、収納箱２８の本体２８ａに取り付ける前の蓋３４に、別途電装品３２、例えばリレー類３２ａ、ブレーカー類３２ｂ、ヒューズ類３２ｃなどを取り付け、さらに機体のハーネス４６から分岐した電線４６ａをそれらに接続する（Ａ矢視図）。
【００２４】
電装品３２を取り付け、ハーネス４６を接続した蓋３４を、ハーネス４６の他端を床１８のグロメット付きの穴１８ａから機体内に通すとともに、蓋３４を本体２８ａにボルト４０（Ｂ−Ｂ断面図）によって取り付ける。
【００２５】
ハーネス４６については、逆に、床１８の穴１８ａから適宜の長さを機体から引出し、単体状態の蓋３４に取り付けた電装品３２に接続してもよい。
【００２６】
上述したとおりの作業機械の電装品収納構造３０の作用効果について説明する。
【００２７】
本発明に従って構成された作業機械の電装品収納構造３０は、電装品の収納箱２８が、電装品３２が取り付けられる着脱自在な蓋３４を備えている。したがって、蓋３４を収納箱２８に取り付ける前に、蓋３４に電装品３２を取り付け、かつ電装品３２にハーネス４６の電線４６ａを接続し、この状態で蓋３４を収納箱２８に取り付けることができる。
【００２８】
したがって、電装品の収納箱の中での電装品の取り付けおよび電線の接続作業を実質上なくすことができるので、作業性が良く、短時間での作業が可能になり、電装品の取付作業が容易になる。また、収納空間に出し入れする、電装品の取付台に比べて構成が簡単である。
【００２９】
収納箱２８は座席１２が取り付けられる座席支持フレーム２０の空間に設置され、座席支持フレーム２０は、座席１２の取付面Ｓに座席１２を取り外したときに収納箱２８の蓋３４にアクセスが可能な開口３６を備えている。したがって、収納箱２８内の電装品３２の保守、点検などが必要なときには、座席支持フレーム２０から座席１２を取り外すことにより、開口３６から収納箱２８の蓋３４を取り外し容易に行なうことができる。
【００３０】
また、作業機械が図３に示す座席１２の後方に開閉自在なフード２４を有したエンジン室１４を備える場合には、エンジン室１４のフード２４を開けて収納箱２８の蓋３４にアクセスすることができる。
【図面の簡単な説明】
【００３１】
【図１】本発明に従って構成された作業機械の電装品収納構造の斜視図ならびに要部の矢視図および断面図。
【図２】図３の電装品収納構造の部分を、座席を外した状態で示した拡大斜視図。
【図３】本発明に従って構成された作業機械の電装品収納構造を備えたホイールローダの側面図
【符号の説明】
【００３２】
２：ホイールローダ（作業機械）
１２：座席
２０：座席支持フレーム
２８：収納箱
３０：電装品収納構造
３２：電装品
３４：蓋
３６：開口
Ｓ：座席の取付面
【図１】
2007296988.tif 000003
【図２】
2007296988.tif 000004
【図３】
2007296988.tif 000005